(57)【要約】      （修正有）【課題】素早く上蓋を外して電池を交換でき、殺菌消臭効果が得られ、靴体内の乾燥を保持して湿気を防止できる靴内光体殺菌消臭器を提供する。【解決手段】内外の周縁に光触媒が塗布され、下方に底座３があり、底座に設けられる三つの磁石と、上蓋の内縁にある三つの磁石４３，４４，４５が互いに磁気吸引する。発光体４０から光触媒を照射し、複数の通気孔３０３により空気が流通され、靴内に入れ込まれると靴体５が広がり、空気が光触媒反応材の上にある複数の通気孔により流通し、光触媒を照射して反応させて靴内において殺菌消臭し、高吸湿性材で光体殺菌消臭器の本体を形成するため、靴体内を乾燥する。【選択図】図１
0003124489.tif 000002
【実用新案登録請求の範囲】
【請求項１】
内外の周縁に、光触媒が塗布され、主として、上蓋と底座、基板、発光体、電池、開閉計時装置、磁石、磁石及びソフトパッドからなり、
互いに対向する係止槽に嵌設されることにより、直立する基板があり、係止槽の先端に、内部においての上下通風のために、通気孔が設けられ、底座の底面に安定的に固定されるソフトパッドがある底座と、
底座の上方に設置され、表面に複数の通気孔が形成される上蓋と、
前方の端面に、電線により電池ボックスの側辺にある接点に連接されて電池ボックスに収納される電池により電源が供給られる発光体が設けられ、電線により開閉計時装置に電気的に接続される基板と、
底座の底部に設置され、押されると、内部の計時器がカウントダウンするように計時しながら照射して殺菌する開閉計時装置と、
それぞれ、突起柱に固定される三つの磁石と、
それぞれ、当該固定柱の底部にある凹槽に固定される三つの磁石と、が含有され、
当該上蓋と当該底座を結合する時、当該底座の磁石と当該上蓋の磁石が互いに磁気吸引することにより、快速的に結合でき、ユーザーが底座にある電池を交換する時、快速的に上蓋を外して電池を交換できる、ことを特徴とする靴内光体殺菌消臭器。
【請求項２】
当該開閉計時装置を押すと、設定した照射流れに従って照射し、殺菌効果が得られることを特徴とする請求項１に記載の靴内光体殺菌消臭器。
【請求項３】
当該発光体は、LEDランプであることを特徴とする請求項１に記載の靴内光体殺菌消臭器。
【請求項４】
当該本体は、セラミック材であり、快速な吸湿効果が得られることを特徴とする請求項１に記載の靴内光体殺菌消臭器。
【考案の詳細な説明】
【技術分野】
【０００１】
本考案は、靴内光体殺菌消臭器に関し、特に、光触媒を当該光体殺菌消臭器の内外周縁に塗布して、光体殺菌消臭器に設置された発光体により光触媒を照射し、靴内の四周に対して、殺菌消臭効果が得られるものに関する。
【背景技術】
【０００２】
靴を長期に履くと、通風不良のため、悪臭が発生し、特に、濡れた環境では、容易に黴菌が生成し、また、一般に、足部の汗腺が発達である人は、汗による湿気と熱により、靴と靴下が臭くなり、足部に、容易に水虫などの病気が発生し、また、大量な細菌を含有する靴が、暗い靴箱に収納されると、靴箱にも臭い匂いが浮き、人体に対して、衛生ではなく、健康にも良くなく、ユーザーが、芳香剤を靴内に噴いて靴内の臭みを消去しようとするが、一時的に香気を維持できるだけで、徹底的に、靴内の細菌を消滅できず、そのため、靴内に細菌が絶えずに繁殖し、また、ゴキブリや蜘蛛等の虫を招来し、衛生的且つ健康的ではない問題がある。
【考案の開示】
【考案が解決しようとする課題】
【０００３】
本考案は、靴体内の空気をフレッシュに保持でき、殺菌消臭効果が得られる靴内光体殺菌消臭器を提供する。
【課題を解決するための手段】
【０００４】
本考案は、將光触媒塗布在当該光触媒殺菌消臭器内外四周縁。靴内光体殺菌消臭器である。
【０００５】
本考案は、発光体で光触媒を照射して反応させることにより、靴内において、殺菌消臭効果が得られる靴内光体殺菌消臭器である。
【０００６】
本考案は、発光体で靴体内部を照射することにより殺菌効果が得られる靴内光体殺菌消臭器である。
【０００７】
本考案は、靴体を広げて通風が良くなる靴内光体殺菌消臭器である。
【０００８】
本考案は、高吸湿性材で光体殺菌消臭器の本体を形成し、より快速的に吸湿でき、靴内の乾燥を保持できる靴内光体殺菌消臭器である。
【考案を実施するための最良の形態】
【０００９】
当該光体殺菌消臭器１は、図１乃至５を参照しながら、内外の周縁に、光触媒が塗布され、主として、上蓋２、底座３、基板４、発光体４０、電池４１、開閉計時装置４２、磁石４３、４４、４５及び磁石４６、４７、４８からなり、当該底座３の上において、基板４が、互いに対向する係止槽３０１、３０２に嵌設されることにより、直立し、当該底座３の上において、係止槽３０１、３０２の先端に、内部においての上下通風のために、通気孔３０３が設けられ、当該基板４の前方の端面に、発光体４０が設けられ、当該発光体４０から、基板４を通して、電池ボックス３００の側辺にある接点に連接される電線が伸ばされ、電池ボックス３００に収納される電池４１により、発光体４０へ電源を供給し、また、当該基板４が、電線を介して、開閉計時装置４２と電気的に接続し、当該開閉計時装置４２を押すことにより、内部計時器が、カウントダウンするように計時しながら、照射して殺菌し、或いは、当該開閉計時装置４２を押すことにより、照射光の強度が増加されて快速的に殺菌し、また、当該底座３の上に、それぞれに突起柱４３０、４４０、４５０の上に固定される磁石４３、４４、４５が設置され、また、当該底座３の上方に、上蓋２が設置され、上蓋２の表面に、複数の通気孔２０が形成され、上蓋２の内縁に固定柱２１、２２、２３が設置され、当該固定柱２１、２２、２３の底部に、凹槽２１０、２２０、２３０が形成され、当該凹槽２１０、２２０内に磁石４６、４７、４８が固設され、上蓋２と当該底座３とを結合する時、底座３の磁石４３、４４、４５と上蓋２の磁石４６、４７、４８とが互いに磁気吸引することにより、快速的に結合でき、ユーザーが、底座３に収納される電池４１を交換する時でも、快速的に上蓋２を外して電池４１を交換することができ、図６のように、当該光体殺菌消臭器１は、内外の周縁に光触媒が塗布され、当該光体觸媒殺菌消臭器１は、セラミック(又は、他の有機や無機材)で作製されたもので、当該光体殺菌消臭器１は、於上蓋２の表面に、空気が流通するための複数の通気孔２０が形成され、靴体５に入れ込まれると、靴体５の内部空間が広がれて空気が靴体５の中に入るようになり、また、発光体４０が、光触媒２を照射し、空気が、光体殺菌消臭器１の上下の通気孔２０、３０３を流通し、照射された光触媒１により、靴体５の四周に対して殺菌消臭し、本考案において、発光体４０がLEDランプであり、光体殺菌消臭器１に、靴体内の乾燥を保持するための乾燥剤(図に未表示)が入れ込まれ、乾燥剤が、靴体５内の空気をフレッシュに保持するための活性炭であっても良く、図７のように、ユーザーが当該開閉計時装置４２を押すことにより、開閉計時装置４２の内部計時器がカウントダウンするように計時しながら殺菌し、或いは、当該開閉計時装置４２を押すことにより、照射光の強度が増加されて快速的に殺菌する。
【００１０】
本考案は、次の利点が得られる。
【００１１】
１、光体殺菌消臭器の発光体が光触媒を照射することにより、靴体内に対して、殺菌消臭ができる。
【００１２】
２、光体殺菌消臭器が、靴体内に入れ込まれると、靴体が広がれて通風状態になり、靴体内の空気をフレッシュに保持できる。
【００１３】
３、ユーザーが光体殺菌消臭器上の開閉計時装置を押すと、カウントダウンするように計時しながら照射して殺菌する。
【００１４】
４、本考案は、更に、当該開閉計時装置を押すと、設定した照射流れに従って照射するため、発光体の照射光が増加され、殺菌消臭時間の短縮と快速殺菌が実現される。
【図面の簡単な説明】
【００１５】
【図１】本考案の分解立体図
【図２】本考案の電池が実装された時の立体図
【図３】本考案の組立て立体図
【図４】本考案の底部立体図
【図５】本考案の結合した時の断面図
【図６】本考案を靴に入れ込んで電源がオフである時の概念図
【図７】本考案を靴に入れ込んで電源がオンである時の概念図
【符号の説明】
【００１６】
１            光体殺菌消臭器
２            上蓋
２０          通気孔
２１、２２、２３        固定柱
２１０、２２０、２３０  凹槽
３            底座
３００        電池ボックス
３０００、３００１、３００２  穴
３０１、３０２                係止槽
３０３        通気孔
４            基板
４０          発光体
４２          開閉計時装置
４３、４４、４５             磁石
４０          発光体
４１          電池
４３０、４４０、４５０       突起柱
４６、４７、４８             磁石
５            靴体
【図１】
0003124489.tif 000003
【図２】
0003124489.tif 000004
【図３】
0003124489.tif 000005
【図４】
0003124489.tif 000006
【図５】
0003124489.tif 000007
【図６】
0003124489.tif 000008
【図７】
0003124489.tif 000009